【手続補正書】
【提出日】平成21年7月17日(2009.7.17)
【手続補正１】
【補正対象書類名】特許請求の範囲
【補正対象項目名】全文
【補正方法】変更
【補正の内容】
【特許請求の範囲】
【請求項１】
分光感度特性の異なる複数種類の撮像用画素を二次元状に規則的に配列し、光学系により結像される像を撮像する撮像素子であって、
前記撮像用画素のうちの所定方向に沿った一部を焦点検出用画素として構成し、前記規則的な配列において前記焦点検出用画素の位置に位置する前記撮像用画素と同じ分光感度特性を有する前記撮像用画素が複数の前記焦点検出用画素の間に配置されるように、前記所定方向の画素配列上に前記撮像用画素と前記焦点検出用画素とを混在させて配置することを特徴とする撮像素子。
【請求項２】
分光感度特性の異なる複数種類の撮像用画素を二次元状に規則的に配列し、光学系により結像される像を撮像する撮像素子であって、
前記撮像用画素のうちの所定方向に沿った一部を焦点検出用画素として構成し、前記規則的な配列における前記所定方向の画素配列上の前記撮像用画素のすべての種類が複数の前記焦点検出用画素の間に配置されるように、前記所定方向の画素配列上に前記撮像用画素と前記焦点検出用画素とを混在させて配置することを特徴とする撮像素子。
【請求項３】
請求項１または請求項２に記載の撮像素子において、
前記複数種類の撮像用画素を正方配列し、前記所定方向は前記正方配列の各辺または対角線の方向とすることを特徴とする撮像素子。
【請求項４】
請求項１または請求項２に記載の撮像素子において、
前記焦点検出用画素は、前記光学系の射出瞳において前記所定方向に沿った異なる瞳部分を通る対の光束を受光することを特徴とする撮像素子。
【請求項５】
請求項１または請求項２に記載の撮像素子において、
前記焦点検出用画素はマイクロレンズと光電変換部を備え、前記マイクロレンズに関して前記光電変換部と前記光学系の射出瞳とが共役であることを特徴とする撮像素子。
【請求項６】
請求項５に記載の撮像素子において、
前記焦点検出用画素は対の光電変換部を備え、前記各光電変換部により前記光学系の異なる瞳部分を通る対の光束をそれぞれ受光することを特徴とする撮像素子。
【請求項７】
請求項５に記載の撮像素子において、
前記焦点検出用画素は、前記光電変換部により前記光学系の異なる瞳部分を通る対の光束の一方を受光することを特徴とする撮像素子。
【請求項８】
請求項７に記載の撮像素子において、
前記光学系の異なる瞳部分を通る対の光束をそれぞれ受光する対の前記焦点検出用画素が複数対配置されることを特徴とする撮像素子。
【請求項９】
請求項１〜８のいずれか１項に記載の撮像素子において、
前記焦点検出用画素は前記撮像用画素と異なる分光感度特性を有することを特徴とする撮像素子。
【請求項１０】
請求項１〜８のいずれか１項に記載の撮像素子において、
前記焦点検出用画素は、前記規則的な配列において前記焦点検出用画素の位置に位置する前記撮像用画素と同じ分光感度特性を有することを特徴とする撮像素子。
【請求項１１】
請求項１〜１０のいずれか１項に記載の撮像素子において、ＲＧＢのそれぞれを受光する３種類の前記撮像用画素を備えることを特徴とする撮像素子。
【請求項１２】
請求項１１に記載の撮像素子において、
ＲＧＢのそれぞれを受光する３種類の前記撮像用画素をベイヤー配列することを特徴とする撮像素子。
【請求項１３】
請求項１〜１２のいずれか１項に記載の撮像素子において、
前記撮像用画素はマイクロレンズと光電変換部を備え、前記マイクロレンズに関して前記光電変換部と前記光学系の射出瞳とが共役であることを特徴とする撮像素子。
【請求項１４】
請求項１３に記載の撮像素子において、
前記撮像用画素のマイクロレンズの光学特性と、前記焦点検出用画素のマイクロレンズの光学特性とを異ならせることを特徴とする撮像素子。
【請求項１５】
請求項１〜１０のいずれか１項に記載の撮像素子と、
前記撮像素子の前記焦点検出用画素の出力データに基づいて前記光学系の焦点調節状態を検出する焦点検出手段とを備えることを特徴とする焦点検出装置。
【請求項１６】
請求項１〜１４のいずれか１項に記載の撮像素子と、
前記撮像素子の前記焦点検出用画素の近傍の前記撮像用画素の出力データに基づいて、前記焦点検出用画素の位置の画像データを補間演算する補間演算手段とを備えることを特徴とする撮像装置。
【請求項１７】
分光感度特性の異なる複数種類の撮像用画素を二次元状に規則的に正方配列し、光学系により結像される像を撮像する撮像素子であって、
前記撮像素子のうちの一部を焦点検出用画素として構成するとともに、
前記規則的な配列において前記焦点検出用画素の位置に位置すべき前記撮像用画素と同じ分光感度特性を有する前記撮像用画素が前記正方配列の各辺および対角線の方向において前記焦点検出用画素の位置に最も近接して配置される位置には前記焦点検出用画素を配置しないように前記焦点検出用画素を配置することを特徴とする撮像素子。
【手続補正２】
【補正対象書類名】明細書
【補正対象項目名】０００５
【補正方法】変更
【補正の内容】
【０００５】
（１）  請求項１の発明は、分光感度特性の異なる複数種類の撮像用画素を二次元状に規則的に配列し、光学系により結像される像を撮像する撮像素子であって、撮像用画素のうちの所定方向に沿った一部を焦点検出用画素として構成し、規則的な配列において焦点検出用画素の位置に位置する撮像用画素と同じ分光感度特性を有する撮像用画素が複数の焦点検出用画素の間に配置されるように、所定方向の画素配列上に撮像用画素と焦点検出用画素とを混在させて配置する。
（２）  請求項２の発明は、分光感度特性の異なる複数種類の撮像用画素を二次元状に規則的に配列し、光学系により結像される像を撮像する撮像素子であって、撮像用画素のうちの所定方向に沿った一部を焦点検出用画素として構成し、規則的な配列における所定方向の画素配列上の撮像用画素のすべての種類が複数の焦点検出用画素の間に配置されるように、所定方向の画素配列上に撮像用画素と焦点検出用画素とを混在させて配置する。
（３）  請求項３の撮像素子は、複数種類の撮像用画素を正方配列し、所定方向は正方配列の各辺または対角線の方向とする。
（４）  請求項４の撮像素子は、焦点検出用画素が光学系の射出瞳において所定方向に沿った異なる瞳部分を通る対の光束を受光する。
（５）  請求項５の撮像素子は、焦点検出用画素がマイクロレンズと光電変換部を備え、マイクロレンズに関して光電変換部と光学系の射出瞳とが共役である。
（６）  請求項６の撮像素子は、焦点検出用画素が対の光電変換部を備え、各光電変換部により光学系の異なる瞳部分を通る対の光束をそれぞれ受光する。
（７）  請求項７の撮像素子は、焦点検出用画素が光電変換部により光学系の異なる瞳部分を通る対の光束の一方を受光する。
（８）  請求項８の撮像素子は、光学系の異なる瞳部分を通る対の光束をそれぞれ受光する対の焦点検出用画素が複数対配置される。
（９）  請求項９の撮像素子は、焦点検出用画素が撮像用画素と異なる分光感度特性を有する。
（１０）  請求項１０の撮像素子は、焦点検出用画素が、規則的な配列において焦点検出用画素の位置に位置する撮像用画素と同じ分光感度特性を有する。
（１１）  請求項１１の撮像素子は、ＲＧＢのそれぞれを受光する３種類の撮像用画素を備える。
（１２）  請求項１２の撮像素子は、ＲＧＢのそれぞれを受光する３種類の撮像用画素をベイヤー配列する。
（１３）  請求項１３の撮像素子は、撮像用画素がマイクロレンズと光電変換部を備え、マイクロレンズに関して光電変換部と光学系の射出瞳とが共役である。
（１４）  請求項１４の撮像素子は、撮像用画素のマイクロレンズの光学特性と、焦点検出用画素のマイクロレンズの光学特性とを異ならせる。
（１５）  請求項１５の焦点検出装置は、請求項１〜１４のいずれか１項に記載の撮像素子と、撮像素子の焦点検出用画素の出力データに基づいて光学系の焦点調節状態を検出する焦点検出手段とを備える。
（１６）  請求項１６の撮像装置は、請求項１〜１４のいずれか１項に記載の撮像素子と、撮像素子の焦点検出用画素の近傍の撮像用画素の出力データに基づいて、焦点検出用画素の位置の画像データを補間演算する補間演算手段とを備える。
（１７）  請求項１７の発明は、分光感度特性の異なる複数種類の撮像用画素を二次元状に規則的に正方配列し、光学系により結像される像を撮像する撮像素子であって、撮像素子のうちの一部を焦点検出用画素として構成するとともに、規則的な配列において焦点検出用画素の位置に位置すべき撮像用画素と同じ分光感度特性を有する撮像用画素が正方配列の各辺および対角線の方向において焦点検出用画素の位置に最も近接して配置される位置には焦点検出用画素を配置しないように焦点検出用画素を配置することを特徴とする。